(57)【要約】【課題】チーズの熟成度指標を客観的かつ迅速に推定することを目的とする。【解決手段】測定対象のチーズの熟成度指標を推定するチーズの熟成度指標推定方法であって、所定の励起波長範囲及び所定の蛍光波長範囲で、照射する励起波長及び観測する蛍光波長を段階的に変化させながら、測定対象のチーズの蛍光強度を測定して、前記測定対象のチーズの蛍光指紋情報を取得する蛍光指紋情報取得工程と、前記蛍光指紋情報取得工程で取得した前記蛍光指紋情報に基づいて前記測定対象のチーズの熟成度指標を推定する熟成度指標推定工程と、を含む。【選択図】図１
2016045179.tif 000002
【特許請求の範囲】
【請求項１】
測定対象のチーズの熟成度指標を推定するチーズの熟成度指標推定方法であって、
所定の励起波長範囲及び所定の蛍光波長範囲で、照射する励起波長及び観測する蛍光波長を段階的に変化させながら、測定対象のチーズの蛍光強度を測定して、前記測定対象のチーズの蛍光指紋情報を取得する蛍光指紋情報取得工程と、
前記蛍光指紋情報取得工程で取得した前記蛍光指紋情報に基づいて前記測定対象のチーズの熟成度指標を推定する熟成度指標推定工程と、
を含むことを特徴とするチーズの熟成度指標推定方法。
【請求項２】
前記熟成度指標推定工程では、チーズの熟成度指標を推定するための推定モデルに前記蛍光指紋情報取得工程で取得した前記蛍光指紋情報を適用して前記測定対象のチーズの熟成度指標を推定することを特徴とする請求項１に記載のチーズの熟成度指標推定方法。
【請求項３】
さらに、前記蛍光指紋情報取得工程で取得した蛍光指紋情報に対して多変量解析を行うことで前記推定モデルを作成する推定モデル作成工程を含むことを特徴とする請求項２に記載のチーズの熟成度指標推定方法。
【請求項４】
前記推定モデル作成工程では、前記多変量解析としてＰＬＳ回帰分析を行って、前記推定モデルとして検量線を作成し、
前記熟成度指標推定工程では、前記蛍光指紋情報取得工程で取得した前記蛍光指紋情報を前記検量線に適用して前記測定対象のチーズの熟成度指標を推定することを特徴とする請求項２に記載のチーズの熟成度指標推定方法。
【請求項５】
さらに、前記蛍光指紋情報に対して、中心化、標準化、規格化、微分、ベースライン補正、及び平滑化のうちの１又は複数の処理を行うデータ前処理工程を含むことを特徴とする請求項１〜請求項４のいずれか１つに記載のチーズの熟成度指標推定方法。
【請求項６】
前記熟成度指標は、熟度、遊離アミノ酸量、遊離脂肪酸量、及び熟成期間のうちの１又は複数であることを特徴とする請求項１〜請求項５のいずれか１つに記載のチーズの熟成度指標推定方法。
【請求項７】
測定対象のチーズの熟成度指標を推定するチーズの熟成度指標推定装置であって、
所定の励起波長範囲及び所定の蛍光波長範囲で、照射する励起波長及び観測する蛍光波長を段階的に変化させながら、測定対象のチーズの蛍光強度を測定して、前記測定対象のチーズの蛍光指紋情報を取得する蛍光指紋情報取得手段と、
前記蛍光指紋情報取得工程で取得した前記蛍光指紋情報に基づいて前記測定対象のチーズの熟成度指標を推定する熟成度指標推定手段と、
を備えたことを特徴とするチーズの熟成度指標推定装置。
【請求項８】
前記熟成度指標推定手段は、チーズの熟成度指標を推定するための推定モデルに前記蛍光指紋情報取得手段で取得した前記蛍光指紋情報を適用して前記測定対象のチーズの熟成度指標を推定することを特徴とする請求項７に記載のチーズの熟成度指標推定装置。
【請求項９】
さらに、前記蛍光指紋情報取得手段で取得した蛍光指紋情報に対して多変量解析を行うことで前記推定モデルを作成する推定モデル作成手段を備えたことを特徴とする請求項８に記載のチーズの熟成度指標推定装置。
【請求項１０】
前記推定モデル作成手段は、前記多変量解析としてＰＬＳ回帰分析を行って、前記推定モデルとして検量線を作成し、
前記熟成度指標推定手段は、前記蛍光指紋情報取得手段で取得した前記蛍光指紋情報を前記検量線に適用して前記測定対象のチーズの熟成度指標を推定することを特徴とする請求項９に記載のチーズの熟成度指標推定装置。
【請求項１１】
さらに、前記蛍光指紋情報に対して、中心化、標準化、規格化、微分、ベースライン補正、及び平滑化のうちの１又は複数の処理を行うデータ前処理手段を含むことを特徴とする請求項７〜請求項１０のいずれか１つに記載のチーズの熟成度指標推定装置。
【請求項１２】
前記熟成度指標は、熟度、遊離アミノ酸量、遊離脂肪酸量、及び熟成期間のうちの１又は複数であることを特徴とする請求項７〜請求項１１のいずれか１つに記載のチーズの熟成度指標推定装置。
【請求項１３】
測定対象のチーズの熟成度指標を推定するチーズの熟成度指標推定装置に搭載されるプログラムであって、
所定の励起波長範囲及び所定の蛍光波長範囲で、照射する励起波長及び観測する蛍光波長を段階的に変化させながら、測定対象のチーズの蛍光強度を測定して、前記測定対象のチーズの蛍光指紋情報を取得する蛍光指紋情報取得工程と、
前記蛍光指紋情報取得工程で取得した前記蛍光指紋情報に基づいて前記測定対象のチーズの熟成度指標を推定する熟成度指標推定工程と、
をコンピュータに実行させることを特徴とするコンピュータが実行可能なプログラム。
【請求項１４】
前記熟成度指標推定工程では、チーズの熟成度指標を推定するための推定モデルに前記蛍光指紋情報取得工程で取得した前記蛍光指紋情報を適用して前記測定対象のチーズの熟成度指標を推定することを特徴とする請求項１３に記載のコンピュータが実行可能なプログラム。
【請求項１５】
さらに、前記蛍光指紋情報取得工程で取得した蛍光指紋情報に対して多変量解析を行うことで前記推定モデルを作成する推定モデル作成工程をコンピュータに実行させることを特徴とする請求項１４に記載のコンピュータが実行可能なプログラム。
【請求項１６】
前記推定モデル作成工程では、前記多変量解析としてＰＬＳ回帰分析を行って、前記推定モデルとして検量線を作成し、
前記熟成度指標推定工程では、前記蛍光指紋情報取得工程で取得した前記蛍光指紋情報を前記検量線に適用して前記測定対象のチーズの熟成度指標を推定することを特徴とする請求項１５に記載のコンピュータが実行可能なプログラム。
【請求項１７】
さらに、前記蛍光指紋情報に対して、中心化、標準化、規格化、微分、ベースライン補正、及び平滑化のうちの１又は複数の処理を行うデータ前処理工程をコンピュータに実行させることを特徴とする請求項１３〜請求項１６のいずれか１つに記載のコンピュータが実行可能なプログラム。
【請求項１８】
前記熟成度指標は、熟度、遊離アミノ酸量、遊離脂肪酸量、及び熟成期間のうちの１又は複数であることを特徴とする請求項１３〜請求項１７のいずれか１つに記載のコンピュータが実行可能なプログラム。
【請求項１９】
ナチュラルチーズであって、
請求項１〜請求項６のいずれか１つに記載のチーズの熟成度指標推定方法により推定される熟成度指標を使用して出荷時期が決定されたナチュラルチーズ。
【請求項２０】
プロセスチーズであって、
原料となるナチュラルチーズが、請求項１〜請求項６のいずれか１つに記載のチーズの熟成度指標推定方法により熟成度指標が推定され、
前記推定された熟成度指標に基づいて、前記原料となるナチュラルチーズの配合及び／又は前記プロセスチーズの製造条件が決定されたプロセスチーズ。
【請求項２１】
請求項１〜請求項６のいずれか１つに記載のチーズの熟成度指標推定方法により熟成度指標が推定されたナチュラルチーズが原料に使用されるプロセスチーズの製造方法であって、
前記推定された熟成度指標に基づいて、前記原料となるナチュラルチーズの配合を決定する工程、を含む製造方法。
【発明の詳細な説明】
【技術分野】
【０００１】
本発明は、チーズの熟成度指標推定方法、チーズの熟成度指標推定装置、コンピュータが実行可能なプログラム、ナチュラルチーズ、プロセスチーズ、及びプロセスチーズの製造方法に関する。
【背景技術】
【０００２】
チーズは、栄養バランスのとれた嗜好性の高い伝統的な乳の加工品であり、古来より多種類のチーズが世界各地で生産されている。一般にチーズは、加工の方法や材料により、数種類に分類される。日本では、チーズをナチュラルチーズと、プロセスチーズに分類している。ナチュラルチーズは、牛乳等に乳酸菌等を加え酵素で凝固させ、脱水・成形・加塩して、微生物の作用で熟成（脂肪分解、乳酸醗酵）させたものをいう。プロセスチーズは、１種又は複数種のナチュラルチーズを原料にして、粉砕、加熱溶融し、乳化したものをいう。
【０００３】
ナチュラルチーズの品質特性を決める重要な項目として、「熟成の度合い」がある。例えば、複数種類のナチュラルチーズを組み合わせてプロセスチーズを作る場合、ナチュラルチーズの「熟成の度合い」を客観的に計測する手法が必要である。
【０００４】
現在、ナチュラルチーズの「熟成の度合い」は、熟練したグレーダーが五感により、例えば、１０点満点で判断している。グレーダーによる判断では、客観性がないことや、グレーダーを育てるために時間・経費が必要などの問題があった。
【０００５】
また、化学分析により、全窒素に対する水溶性窒素の割合を「熟度」として計測する方法や、Ｒａｐｉｄ  ｖｉｓｃｏ  ａｎａｌｙｚｅｒ（ＲＶＡ）、電気泳動によるインタクトカゼイン測定などの方法もあるが、いずれも計測に長時間（例えば、数日）を要すると共に、手間がかかるという問題があった。
【０００６】
本出願人はすでに、ナチュラルチーズの代謝物における機器分析によって、当該ナチュラルチーズの熟成品質の予測方法について提供している（特許文献１）。
【０００７】
他方、本出願人による蛍光指紋を使用した判別方法では、測定対象物に対して照射する励起波長、及び、測定対象物を観測する蛍光波長を段階的に変化させながら蛍光強度を測定することにより蛍光指紋を取得し、取得した蛍光指紋を解析することにより、穀粉の品種や種別を判別している（特許文献２）。かかる蛍光指紋を使用した方法では、操作が容易で短時間で測定できること、吸光度に比べ感度が高いこと、非破壊で解析が可能などの長所を有している。
【先行技術文献】
【特許文献】
【０００８】
【特許文献１】特開２０１３−７７３２号公報
【特許文献２】特開２０１０−１８５７１９号公報
【発明の概要】
【発明が解決しようとする課題】
【０００９】
本発明は、上記に鑑みてなされたもので、チーズの熟成度指標を客観的かつ迅速に推定することが可能なチーズの熟成度指標推定方法、チーズの熟成度指標推定装置、コンピュータが実行可能なプログラム、ナチュラルチーズ、プロセスチーズ、及びプロセスチーズの製造方法を提供することを目的とする。
【課題を解決するための手段】
【００１０】
上述した課題を解決し、目的を達成するために、本発明は、測定対象のチーズの熟成度指標を推定するチーズの熟成度指標推定方法であって、所定の励起波長範囲及び所定の蛍光波長範囲で、照射する励起波長及び観測する蛍光波長を段階的に変化させながら、測定対象のチーズの蛍光強度を測定して、前記測定対象のチーズの蛍光指紋情報を取得する蛍光指紋情報取得工程と、前記蛍光指紋情報取得工程で取得した前記蛍光指紋情報に基づいて前記測定対象のチーズの熟成度指標を推定する熟成度指標推定工程と、を含むことを特徴とする。
【００１１】
また、本発明の好ましい態様によれば、前記熟成度指標推定工程では、チーズの熟成度指標を推定するための推定モデルに前記蛍光指紋情報取得工程で取得した前記蛍光指紋情報を適用して前記測定対象のチーズの熟成度指標を推定することが望ましい。
【００１２】
また、本発明の好ましい態様によれば、さらに、前記蛍光指紋情報取得工程で取得した蛍光指紋情報に対して多変量解析を行うことで前記推定モデルを作成する推定モデル作成工程を含むことが望ましい。
【００１３】
また、本発明の好ましい態様によれば、前記推定モデル作成工程では、前記多変量解析としてＰＬＳ回帰分析を行って、前記推定モデルとして検量線を作成し、前記熟成度指標推定工程では、前記蛍光指紋情報取得工程で取得した前記蛍光指紋情報を前記検量線に適用して前記測定対象のチーズの熟成度指標を推定することが望ましい。
【００１４】
また、本発明の好ましい態様によれば、さらに、前記蛍光指紋情報に対して、散乱光の除去・２次元データへの展開、中心化、標準化、規格化、微分、ベースライン補正、及び平滑化のうちの１又は複数の処理を行うデータ前処理工程を含むことが望ましい。
【００１５】
また、本発明の好ましい態様によれば、前記熟成度指標は、熟度、遊離アミノ酸量、遊離脂肪酸量、及び熟成期間のうちの１又は複数であることが望ましい。
【００１６】
また、上述した課題を解決し、目的を達成するために、本発明は、測定対象のチーズの熟成度指標を推定するチーズの熟成度指標推定装置であって、所定の励起波長範囲及び所定の蛍光波長範囲で、照射する励起波長及び観測する蛍光波長を段階的に変化させながら、測定対象のチーズの蛍光強度を測定して、前記測定対象のチーズの蛍光指紋情報を取得する蛍光指紋情報取得手段と、前記蛍光指紋情報取得工程で取得した前記蛍光指紋情報に基づいて前記測定対象のチーズの熟成度指標を推定する熟成度指標推定手段と、を備えたことを特徴とする。
【００１７】
また、本発明の好ましい態様によれば、前記熟成度指標推定手段は、チーズの熟成度指標を推定するための推定モデルに前記蛍光指紋情報取得手段で取得した前記蛍光指紋情報を適用して前記測定対象のチーズの熟成度指標を推定することが望ましい。
【００１８】
また、本発明の好ましい態様によれば、さらに、前記蛍光指紋情報取得手段で取得した蛍光指紋情報に対して多変量解析を行うことで前記推定モデルを作成する推定モデル作成手段を備えることが望ましい。
【００１９】
また、本発明の好ましい態様によれば、前記推定モデル作成手段は、前記多変量解析としてＰＬＳ回帰分析を行って、前記推定モデルとして検量線を作成し、前記熟成度指標推定手段は、前記蛍光指紋情報取得手段で取得した前記蛍光指紋情報を前記検量線に適用して前記測定対象のチーズの熟成度指標を推定することが望ましい。
【００２０】
また、本発明の好ましい態様によれば、さらに、前記蛍光指紋情報に対して、散乱光の除去・２次元データへの展開、中心化、標準化、規格化、微分、ベースライン補正、及び平滑化のうちの１又は複数の処理を行うデータ前処理手段を備えることが望ましい。
【００２１】
また、本発明の好ましい態様によれば、前記熟成度指標は、熟度、遊離アミノ酸量、遊離脂肪酸量、及び熟成期間のうちの１又は複数であることが望ましい。
【００２２】
また、上述した課題を解決し、目的を達成するために、本発明は、測定対象のチーズの熟成度指標を推定するチーズの熟成度指標推定装置に搭載されるプログラムであって、所定の励起波長範囲及び所定の蛍光波長範囲で、照射する励起波長及び観測する蛍光波長を段階的に変化させながら、測定対象のチーズの蛍光強度を測定して、前記測定対象のチーズの蛍光指紋情報を取得する蛍光指紋情報取得工程と、前記蛍光指紋情報取得工程で取得した前記蛍光指紋情報に基づいて前記測定対象のチーズの熟成度指標を推定する熟成度指標推定工程と、をコンピュータに実行させることを特徴とする。
【００２３】
また、本発明の好ましい態様によれば、前記熟成度指標推定工程では、チーズの熟成度指標を推定するための推定モデルに前記蛍光指紋情報取得工程で取得した前記蛍光指紋情報を適用して前記測定対象のチーズの熟成度指標を推定することが望ましい。
【００２４】
また、本発明の好ましい態様によれば、さらに、前記蛍光指紋情報取得工程で取得した蛍光指紋情報に対して多変量解析を行うことで前記推定モデルを作成する推定モデル作成工程をコンピュータに実行させることが望ましい。
【００２５】
また、本発明の好ましい態様によれば、前記推定モデル作成工程では、前記多変量解析としてＰＬＳ回帰分析を行って、前記推定モデルとして検量線を作成し、前記熟成度指標推定工程では、前記蛍光指紋情報取得工程で取得した前記蛍光指紋情報を前記検量線に適用して前記測定対象のチーズの熟成度指標を推定することが望ましい。
【００２６】
また、本発明の好ましい態様によれば、さらに、前記蛍光指紋情報に対して、中心化、標準化、規格化、微分、ベースライン補正、及び平滑化のうちの１又は複数の処理を行うデータ前処理工程をコンピュータに実行させることが望ましい。
【００２７】
また、本発明の好ましい態様によれば、前記熟成度指標は、熟度、遊離アミノ酸量、遊離脂肪酸量、及び熟成期間のうちの１又は複数であることが望ましい。
【００２８】
また、上述した課題を解決し、目的を達成するために、本発明は、ナチュラルチーズであって、本発明のチーズの熟成度指標推定方法により推定される熟成度指標を使用して出荷時期が決定されることを特徴とする。
【００２９】
また、上述した課題を解決し、目的を達成するために、本発明は、プロセスチーズであって、原料となるナチュラルチーズが、本発明のチーズの熟成度指標推定方法により熟成度指標が推定され、前記推定された熟成度指標に基づいて、前記原料となるナチュラルチーズの配合及び／又は前記プロセスチーズの製造条件が決定されることを特徴とする。
【００３０】
また、上述した課題を解決し、目的を達成するために、本発明は、本発明のチーズの熟成度指標推定方法により熟成度指標が推定されたナチュラルチーズが原料に使用されるプロセスチーズの製造方法であって、前記推定された熟成度指標に基づいて、前記原料となるナチュラルチーズの配合を決定する工程、を含む製造方法を特徴とする。
【発明の効果】
【００３１】
この発明によれば、所定の励起波長範囲及び所定の蛍光波長範囲で、照射する励起波長及び観測する蛍光波長を段階的に変化させながら、測定対象のチーズの蛍光強度を測定して、前記測定対象のチーズの蛍光指紋情報を取得し、取得した蛍光指紋情報に基づいて測定対象のチーズの熟成度指標を推定しているので、チーズの熟成度指標を客観的かつ迅速に推定することが可能となる。
【００３２】
また、本発明によれば、チーズの熟成度指標を推定するための推定モデルに取得した蛍光指紋情報を適用して測定対象のチーズの熟成度指標を推定しているので、蛍光指紋を測定するだけで、簡単かつ迅速に熟成度指標を推定することが可能となる。
【００３３】
また、本発明によれば、取得した蛍光指紋情報に対して多変量解析を行うことで推定モデルを作成しているので、高精度な推定モデルを作成することが可能となる。
【００３４】
また、本発明によれば、多変量解析としてＰＬＳ回帰分析を行って、推定モデルとして検量線を作成し、取得した蛍光指紋情報を検量線に適用して測定対象のチーズの熟成度指標を推定することとしたので、熟成度指標の具体的な数値を高精度に推定することが可能となる。
【００３５】
また、本発明によれば、蛍光指紋情報に対して、データ前処理として、中心化、標準化、規格化、微分、ベースライン補正、及び平滑化のうちの１又は複数の処理を行うこととしたので、熟成度指標の推定精度を向上させることが可能となる。
【００３６】
また、本発明によれば、熟成度指標は、熟度、遊離アミノ酸量、遊離脂肪酸量、及び熟成期間のうちの１又は複数であることとしたので、熟成度指標として、熟度、遊離アミノ酸量、遊離脂肪酸量、及び熟成期間を推定することが可能となる。
【００３７】
また、本発明によれば、温度２１〜２２℃の条件で蛍光指紋の測定を行うことにより、高精度に蛍光指紋情報を取得することも可能である。
【図面の簡単な説明】
【００３８】
【図１】図１は、本発明の概略を説明するための説明図である。
【図２】図２は、測定対象物に励起光を照射した場合に、測定対象物から発せられる蛍光を説明するための図である。
【図３】図３は、蛍光指紋の一例を３次元データの等高線状のグラフにて示す図である。
【図４】図４は、図３の蛍光指紋の一例を平面的に表した俯瞰図である。
【図５】図５は、本実施の形態に係るチーズの熟成度指標推定方法を説明するためのフローチャートである。
【図６】図６は、測定対象のチーズの準備の一例を説明するための図である。
【図７】図７は、蛍光指紋情報に対して行われるデータ前処理の第１段階を説明するための図である。
【図８】図８は、蛍光指紋情報に対して行われるデータ前処理の第２段階（中心化）を説明するための図である。
【図９】図９は、蛍光指紋情報に対して行われるデータ前処理の第２段階（規格化）を説明するための図である。
【図１０】図１０は、蛍光指紋情報に対して行われるデータ前処理の第２段階（標準化）を説明するための図である。
【図１１】図１１は、チーズの熟成度指標推定装置の一例を示すブロック図である。
【図１２】図１２は、蛍光指紋取得装置の一例を示すブロック図である。
【図１３】図１３は、ＰＬＳ回帰分析による蛍光指紋と熟度についての解析結果を示しており、データ前処理として散乱光除去及び２次元データ展開のみを行った例を示す図である。
【図１４】図１４は、ＰＬＳ回帰分析による蛍光指紋と熟度についての解析結果を示しており、データ前処理として散乱光除去及び２次元データ展開を行った後、「中心化」を行った例を示す図である。
【図１５】図１５は、ＰＬＳ回帰分析による蛍光指紋と熟度についての解析結果を示しており、データ前処理として散乱光除去及び２次元データ展開を行った後、「規格化」を行った例を示す図である。
【図１６】図１６は、ＰＬＳ回帰分析による蛍光指紋と熟度についての解析結果を示しており、データ前処理として散乱光除去及び２次元データ展開を行った後、「標準化」を行った場合を示す図である。
【図１７】図１７は、蛍光指紋情報に対して主成分分析を行った例を示す図である。
【図１８】図１８は、ＰＬＳ判別分析によるキャリブレーションデータの判別結果の集計を示す図である。
【図１９】図１９は、ＰＬＳ判別分析によるバリデーションデータの判別結果の集計を示す図である。
【図２０】図２０は、ＰＬＳ回帰分析による蛍光指紋と熟成期間についての解析結果を示す図である。
【図２１】図２１は、ＰＬＳ回帰分析による蛍光指紋と遊離アミノ酸量についての解析結果を示す図である。
【図２２】図２２は、ＰＬＳ回帰分析による蛍光指紋と遊離脂肪酸（総量）についての解析結果を示す図である。
【発明を実施するための形態】
【００３９】
以下に、本発明に係るチーズの熟成度指標推定方法、チーズの熟成度指標推定装置、コンピュータが実行可能なプログラム、ナチュラルチーズ、プロセスチーズ、及びプロセスチーズの製造方法の好適な実施の形態の例を、図１〜図２２を参照して詳細に説明する。なお、この実施の形態によりこの発明が限定されるものではない。
【００４０】
［本発明の概略］
まず、図１を参照して、本発明の概略を説明する。図１は、本発明の概略を説明するための説明図である。チーズは熟成の進行に伴いその内部で、可溶性タンパクの増加、遊離アミノ酸の増加、遊離脂肪酸の増加、水分の減少など、様々な変化が起こる。熟成の進行は、「熟成度指標」で規定することができる。「熟成度指標」には、全窒素に対する水溶性窒素の割合である「熟度」、「遊離アミノ酸量」、「遊離脂肪酸量」、及び「熟成期間」等が含まれる。特に、「熟度」はチーズの製造現場でよく使用されている熟成度指標である。
【００４１】
本発明では、チーズの熟成度指標を客観的かつ迅速に推定するために、測定対象のチーズの蛍光指紋を測定し、測定した蛍光指紋に基づいて、チーズの熟成度指標を推定している。本発明は、蛍光指紋から熟成度指標を推定するための推定モデルを作成する推定モデル作成工程（Ｓ１）と、測定対象物の蛍光指紋を測定し、測定した蛍光指紋を推定モデルに適用して熟成度指標を推定する簡易計測工程（Ｓ２）とを備える。
【００４２】
推定モデル作成工程（Ｓ１）では、チーズの蛍光指紋を測定して、測定した蛍光指紋を多変量解析してチーズの熟成度指標を推定するための推定モデルを作成する。測定した蛍光指紋情報に対しては必要によりデータ前処理を行う。多変量解析には、教師ありの手法及び教師なしの手法がある。教師ありの手法では、化学分析等により熟成度指標が既知のチーズに対して蛍光指紋を測定し、測定した蛍光指紋に対して多変量解析を行うことで推定モデルを作成する。教師なしの手法では、チーズの蛍光指紋を測定し、測定した蛍光指紋に対して多変量解析を行うことで推定モデルを作成する。
【００４３】
蛍光指紋の簡易計測工程（Ｓ２）では、熟成度指標を推定したいチーズの蛍光指紋の計測を行って蛍光指紋を取得する。取得した蛍光指紋に対しては、必要によりデータ前処理を行う。取得した蛍光指紋を推定モデルに適用して、熟成度指標を推定する。このように、一旦、推定モデルを作成すると、測定対象物の蛍光指紋を取得するだけで、客観的かつ迅速に熟成度指標を推定することが可能となる。
【００４４】
［蛍光指紋］
図２〜図４を参照し、蛍光指紋について説明する。図２は、測定対象物に励起光を照射した場合に、測定対象物から発せられる蛍光を説明するための図である。図３は、蛍光指紋の一例を３次元データの等高線状のグラフにて示す図である。図４は、図４の蛍光指紋の一例を平面的に表した俯瞰図である。
【００４５】
図２に示すように、測定対象物に励起光（様々な波長の光）を照射し、測定対象物から発せられた蛍光を検出する。「蛍光指紋」とは、図３に示すように、測定対象物に照射する励起波長、測定対象物から発する蛍光波長、測定対象物の蛍光強度の３軸からなる３次元データの等高線状のグラフである。
【００４６】
また、図４に示すように、「蛍光指紋」は、横軸を蛍光波長、縦軸を励起波長として各ポイントの蛍光強度を等高線プロットすることにより平面的に表すことができる。蛍光指紋は、測定対象物に対し蛍光染色等の前処理をせずにキャラクタリゼーションが可能であること、操作が容易で短時間で測定できること、さらに吸光度に比べ感度が高いこと、非破壊で測定が可能であることなどの長所を有することから、食品等の内部構造の分析や、大気中の浮遊物の測定や、染料の原料特定などに利用されている手法である。このように、「蛍光指紋」は、３次元の膨大な情報を有する成分固有の蛍光情報であるため、測定者は、蛍光指紋を利用することで、成分の識別が可能であり、かつ、非破壊での計測が可能である。  
【００４７】
［チーズの熟成度指標推定方法］
図５〜図８を参照し、本実施の形態に係るチーズの熟成度指標推定方法について説明する。図５は、本実施の形態に係るチーズの熟成度指標推定方法を説明するためのフローチャートである。
【００４８】
図５に示すように、本実施の形態に係るチーズの熟成度指標推定方法は、チーズの蛍光指紋を多変量解析して、熟成度指標を推定するための推定モデルを作成する推定モデル作成工程と、チーズの蛍光指紋を測定し、測定した蛍光指紋を推定モデルに適用して熟成度指標を推定する熟成度指標推定工程とに大別される。
【００４９】
多変量解析には、（１）教師なし（パターン認識）と、（２）教師ありとがある。（１）教師なしには、主成分分析、クラスター分析等がある。（２）教師ありには、（２−１）判別分析、（２−２）回帰分析等がある。
【００５０】
（２−１）判別分析は、いくつかのグループにデータを分けるものであり、ＰＬＳ（Ｐａｒｔｉａｌ  ｌｅａｓｔ  ｓｑｕａｒｅｓ）判別分析、ＳＩＭＣＡ（Ｓｏｆｔ  Ｉｎｄｅｐｅｎｄｅｎｔ  Ｍｏｄｅｌｉｎｇ  ｏｆ  Ｃｌａｓｓ  Ａｎａｌｏｇｙ）、ＳＶＭ（Ｓｕｐｐｏｒｔ  Ｖｅｃｔｏｒ  Ｍａｃｈｉｎｅ）判別分析等がある。例えば、判別分析では、熟成度指標の「熟度」を、「未熟」、「適熟」、「過熟」の３つに分類したり、「未熟」、「完熟」の２つに分類すること等ができる。
【００５１】
（２−２）回帰分析は、特定の数値を推定する回帰式（検量線）を作成するものであり、熟成度指標の数値を推定するのに使用することができる。回帰分析には、ＰＬＳ回帰分析、主成分回帰分析などがあり、熟成度指標の「熟度率」、「熟成日数」、「遊離アミノ酸量」、「遊離脂肪酸量」などの数値を推定するのに使用することができる。
【００５２】
測定対象のチーズは、例えば、ナチュラルチーズである。なお、本実施形態において、測定対象のチーズはナチュラルチーズに限定されず他のチーズであってもよい。
【００５３】
推定モデル作成工程では、まず、推定モデルを作成するために、測定対象のチーズを準備する（ステップＳ１１）。図６は、測定対象のチーズの準備の一例を説明するための図である。例えば、図６に示すように、測定対象のチーズのブロック（Ｔ１）を厚さ１０mm程度に切り出し（Ｔ２）、中空棒で円柱状に切り抜き（Ｔ３）、ミクロトームの刃を用いて、断面が滑らかになるように円柱状のチーズを厚さ１．５ｍｍ程度に切り出して円盤状とする（Ｔ４）。円盤状のチーズを断面に触れないように石英窓がついた計測セルにセットする（Ｔ５）。そして計測セルを計測装置にセットする（Ｔ６）。
【００５４】
つぎに、測定対象のチーズに対して蛍光指紋計測を行って蛍光指紋情報を取得する（ステップＳ１３）。例えば、既存の分光蛍光光度計（例えば、日立ハイテクノロジーズ製のＦ−７０００型蛍光分光光度計、日本分光製のＦＰ−８５００蛍光分光光度計等）により、好ましくは２１−２２℃の温度条件で、励起波長（例えば、２００〜７００ｎｍの計測波長範囲内で５ｎｍのデータ取得間隔ごとのｍ個の波長）と、蛍光波長（例えば、２００〜７００ｎｍの計測波長範囲で５ｎｍのデータ取得間隔ごとのｎ個の波長）の組み合わせを変えながら、合計ｍ×ｎ通りの波長条件で、測定対象物の蛍光強度を取得する。ここで、測定者は、計測回数（例えば、各試料につき３回）を調整してもよい。図７（Ａ）は、測定対象物の蛍光指紋の一例を示す図である。
【００５５】
このように、測定対象物について、照射する励起波長及び観測する蛍光波長の組み合わせが異なるｍ×ｎ波長条件で蛍光強度を取得し、測定対象物の蛍光指紋情報を取得する。
【００５６】
つぎに、取得した蛍光指紋情報に対して、必要によりデータ前処理を実行する（ステップＳ１４）。以下、図７〜図１０を参照して、多変量解析前に蛍光指紋情報に対して行われるデータ前処理について説明する。図７は、蛍光指紋情報に対して行われるデータ前処理の第１段階を説明するための図である。図８〜図１０は、蛍光指紋情報に対して行われるデータ前処理の第２段階を説明するための図である。データ前処理は、例えば、１．蛍光指紋の散乱光の除去と２次元データへの展開の第１段階、２．２次元の蛍光指紋情報に対する信号処理演算（例えば、中心化、標準化、規格化、２次微分、ベースライン補正、及び平滑化等）の第２段階の処理がある。
【００５７】
＜１．蛍光指紋の散乱光の除去と２次元データへの展開（第１段階の処理）＞
図７（Ａ）に示すように、取得された蛍光指紋情報は、合計ｍ×ｎの波長条件（＝励起波長と蛍光波長の組み合わせ）のパラメータからなる高次元の蛍光強度データを含んでおり、更に、蛍光の定義から外れる光学的データ（例えば、励起光の散乱光、その２次光、３次光等：本発明では便宜的にノイズ情報と表記する。）を含んでいる。散乱光は、蛍光波長と励起波長が一致する波長条件で、また散乱光の二次光、三次光はそれぞれ蛍光波長が励起波長の２倍、３倍となる波長条件で現れる。そのため、ノイズ情報を除去するとともに、取得した高次元の蛍光強度データから、目的とする蛍光指紋以外の情報を除去した低次元の蛍光強度データにすることが望ましい。
【００５８】
そこで、図７（Ｂ）に示すように、ノイズ情報となる励起光の散乱光及びその２次光、３次光のデータ（例えば、図７（Ｂ）の（ｉ）が示すデータ）を削除する。ここで、散乱光・２次光・３次光ともにある程度の幅をもって現れるため、例えば、前後３０〜４０ｎｍの範囲のデータを除くことにしてもよい。
【００５９】
更に、蛍光波長が励起波長よりも短い範囲のデータ（例えば、図７（Ｂ）の（ｉｉ）が示すデータ）を除去する。これは、測定対象物が発する蛍光波長は励起波長より長波長であるので、励起波長より長波長の蛍光波長の蛍光強度データのみを解析するための処理である。このように、散乱光及び蛍光波長が励起波長よりも短い範囲のデータを除去して、図７（Ｃ）に示すように、チーズの特徴を表す蛍光指紋情報を抽出する。
【００６０】
蛍光指紋情報は、上述したように、励起波長、蛍光波長、蛍光強度からなる３次元データである。多くの解析手法は２次元データを対象に開発されているため、それらを用いるためには３次元データを２次元に展開する必要がある。たとえば、図７（Ｃ）に示すように、励起波長２００〜７００ｎｍ、蛍光波長２００〜７００ｎｍ、励起波長蛍光波長ともに５ｎｍ間隔で取得した蛍光指紋の場合、励起波長２００ｎｍの蛍光スペクトルの後に励起波長２０５ｎｍの蛍光スペクトル、その後に励起波長２１０ｎｍの蛍光スペクトル・・・というように蛍光スペクトルを一列につなげていく。このようにして展開した２次元データの一例を図７（Ｄ）に示す。図７（Ｄ）は、３つの蛍光スペクトルを示しており、Ｘ軸は波長条件（励起波長と蛍光波長の組み合わせ）、Ｙ軸は蛍光強度となる。なお、第一段階の処理を行わず、３次元データのまま多変量解析を行うことにしてもよい。
【００６１】
＜２．２次元の蛍光指紋情報に対する信号処理演算（第２段階の処理）＞
２次元に展開した蛍光指紋情報に対して、中心化（mean  centering）、規格化（normalization）、標準化（autoscale）、２次微分（2nd  derivative）、ベースライン補正（baseline  correction）、平滑化（smoothing）のうちの１つ又は組み合わせて信号処理演算を行う。第２段階のデータ前処理を行うことにより、蛍光スペクトルに含まれている情報の強調、異なるサンプルの蛍光スペクトルの尺度を合わせることができる等の効果がある。
【００６２】
図８は、図７（Ｄ）の蛍光指紋情報を中心化した例を示す図である。「中心化」では、波長条件毎に、全サンプルの蛍光強度の平均を求め、平均が「０」となるように蛍光強度から差し引く処理を行う。図９は、図７（Ｄ）の蛍光指紋データを規格化した例を示す図である。「規格化」ではサンプルごとに蛍光強度の積分（スペクトルの下の面積）を求め、全てのサンプルで積分が「１」となるようにサンプルごとに係数をかける処理を行う。図１０は、図７（Ｄ）の蛍光指紋データを標準化した例を示す図である。「標準化」では波長条件毎に、平均が「０」、標準偏差が「１」となるよう、平均を差し引いた後に標準偏差で割る処理を行う。なお、第２段階のデータ前処理を行わずに多変量解析を行ってもよい。
【００６３】
図５に戻り、ステップＳ１５では、データ前処理が行われた蛍光指紋情報（データ前処理を行っていない蛍光指紋情報を使用してもよい）を多変量解析してチーズの熟成度指標を推定するための推定モデルを作成する。なお、多変量解析で教師ありの手法を使用する場合は、測定対象のチーズについて化学分析等により熟成度指標の実測値を取得する（ステップＳ１２）。多変量解析を行う場合には、ＭＡＴＬＡＢ（Ｍａｔｈｗｏｒｋｓ  Ｉｎｃ，ＵＳＡ）、Ｕｎｓｃｒａｍｂｌｅｒ（ＣＡＭＯ  Ｓｏｆｔｗａｒｅ  ＡＳ，Ｎｏｒｗａｙ）、ＪＭＰ（ＳＡＳ  Ｉｎｓｔｉｔｕｔｅ  Ｉｎｃ，ＵＳＡ）、Ｅｘｃｅｌ（Ｍｉｃｒｏｓｏｆｔ  Ｃｏｒｐｏｒａｔｉｏｎ，ＵＳＡ）等の汎用のソフトウェアや独自開発のソフトウェアを使用してもよい。
【００６４】
多変量解析として回帰分析を使用する場合は、例えば、蛍光指紋情報から熟成度指標の数値を推定するための検量線（回帰式）を推定モデルとして作成する。多変量解析として判別分析を使用する場合は、蛍光指紋情報から熟成度指標のどのグループに分類されるかを推定するための推定モデルを作成する。
【００６５】
つぎに、簡易計測工程では、熟成度指標を推定したいチーズ（測定対象物）を準備する（ステップＳ２１）。測定対象のチーズの準備は、ステップＳ１１と同様であるので、詳細な説明は省略する。熟成度指標を推定したいチーズに対して蛍光指紋計測を行って蛍光指紋情報を取得する（ステップＳ２２）。蛍光指紋情報の取得は、ステップＳ１３と同様であるので、詳細な説明は省略する。取得した蛍光指紋情報に対して、必要によりデータ前処理を実行する（ステップＳ２３）。データ前処理は、ステップＳ１４と同様であるので、詳細な説明は省略する。測定した蛍光指紋情報を推定モデルに適用して熟成度指標を推定する（ステップＳ２４）。
【００６６】
［チーズの熟成度指標推定装置］
次に、本発明のチーズの熟成度指標推定装置の構成について図１１及び図１２を参照し実施形態を例に挙げて説明する。なお、本実施の形態に係るチーズの熟成度指標推定装置は、前述のチーズの熟成度指標推定方法に好適に使用できるものであるが、本実施の形態に係るチーズの熟成度指標推定方法に用いる装置はこれに限定されるものではない。
【００６７】
ここで、図１１は、本実施の形態に係るチーズの熟成度指標推定装置の構成の一例を示すブロック図であり、該構成のうち本発明に関係する部分のみを概念的に示している。
【００６８】
図１１に示すように、チーズの熟成度指標推定装置２０は、少なくとも蛍光指紋取得装置１０を備えている。蛍光指紋取得装置１０は、蛍光指紋情報を取得する装置であり、分光照明装置１１及び分光検出装置１２を備えている。また、チーズの熟成度指標推定装置２０は、蛍光指紋取得装置１０で取得した蛍光指紋情報から、測定対象のチーズ（測定対象物）１３の熟成度指標を検知する装置であり、メモリ２１、制御部２３、計算処理部２４を備えており、測定者はキーボード・マウス２２により、チーズの熟成度指標推定装置２０に測定条件等を入力する。
【００６９】
ここで、図１２は、蛍光指紋取得装置１０の一例を示すブロック図であり、該構成のうち本発明に関係する部分のみを概念的に示している。  
【００７０】
図１２に示すように、蛍光指紋取得装置１０は、分光照明装置１１及び分光検出装置１２を備えている。分光照明装置１１は、測定対象のチーズ１３に、所定の波長の励起光を照射して測定対象のチーズ（測定対象物）１３の成分から蛍光を生じさせる装置である。分光照明装置１１は、照射する励起波長を任意に変える励起波長可変手段を有する。
【００７１】
分光検出装置１２は、所定の蛍光波長において、測定対象のチーズ１３の蛍光強度を取得する。分光検出装置１２は、測定対象のチーズ１３が発した蛍光のうち、特定の蛍光波長を選択的に捕えて、蛍光強度を計測する。分光検出装置１２は、観測する蛍光波長を任意に変える蛍光波長可変手段を有する。
【００７２】
ここで、図１１に戻り、チーズの熟成度指標推定装置２０について説明する。  
【００７３】
チーズの熟成度指標推定装置２０は、上述のチーズの熟成度指標推定方法を実行するための装置である。図１１に示すように、チーズの熟成度指標推定装置２０は、メモリ２１、制御部２３、及び計算処理部２４を備えており、キーボード・マウス２２、Ｉ／Ｏポート（例えば、ＵＳＢポート等）２６、及びディスプレイ３０等が接続されている。
【００７４】
メモリ２１は、指紋検出装置１２４からチーズの熟成度指標推定装置２０へ転送され、計算処理部２４の蛍光指紋情報取得部２４−１により取得された蛍光指紋情報や、計算処理部２４の推定モデル作成部２４−２で推定モデルを作成する際に使用するチーズの熟成度指標の実測値や作成した推定モデル２７等を格納する。推定モデル２７を作成する際に使用するチーズの熟成度指標の実測値は、キーボード・マウス２２やＩ／Ｏポート２６から入力することができる。
【００７５】
制御部２３は、測定者が入力した励起波長範囲、蛍光波長範囲、波長ピッチで測定対象のチーズの蛍光指紋を取得するように、分光照明装置１１が照射する励起波長、及び、分光検出装置１２が観測する蛍光波長を調整する指示を行い、また、計算処理部２４に処理を行うよう命令する。
【００７６】
蛍光指紋取得装置１０から転送された蛍光指紋情報は、チーズの熟成度指標推定装置２０のメモリ２１に格納される。測定者がキーボード・マウス２２を通じて、計算処理部２４に対して処理を行うよう命令すると、まず、計算処理部２４の蛍光指紋情報取得部２４−１が、メモリ２１に格納された蛍光指紋情報を抽出する。
【００７７】
計算処理部２４の推定モデル作成部２４−２は、抽出された蛍光指紋情報に対して、前処理を行った後、多変量解析を行い、推定モデルを作成する。本実施形態において、計算処理部２４の推定モデル作成部２４−２は、例えば、多変量解析としてＰＬＳ回帰分析で作成した検量線を推定モデルとして作成してもよい。
【００７８】
計算処理部２４の推定モデル作成部２４−２は、多変量解析の結果（推定モデル２７）を、メモリ２１に格納してもよく、ディスプレイ３０上に出力してもよく、また、プリンタ（図示せず）を介して印刷してもよい。
【００７９】
計算処理部２４の熟成度指標推定部２４−３は、メモリ２１に格納された推定モデル２７に抽出された蛍光指紋情報を適用して、熟成度指標を推定する。なお、メモリ２１には、複数の熟成度指標（「熟度」、「遊離アミノ酸量」、「遊離脂肪酸量」、及び「熟成期間」等）の推定モデル２７を格納しておくことで、１回の蛍光指紋の測定で、複数の熟成度指標を同時に推定することが可能となる。
【００８０】
［実施例］
以下、図１３〜図２２を参照して実施例について説明する。なお、本発明はこれらの実施例に限定されるものではない。
【００８１】
［実施例１］
図１３を参照して実施例１を説明する。本実施例１において、測定対象物として日本産のナチュラルチーズを用いた。そして、蛍光指紋情報取得部２４−１の処理により日本産のナチュラルチーズの蛍光指紋情報を取得した。そして、推定モデル作成部２４−２の処理により、日本産のナチュラルチーズの蛍光指紋情報に対してＰＬＳ回帰分析を行うことで、「熟度」を推定するための検量線を作成した。さらに、熟成度指標推定部２４−３により、作成した検量線を使用して、日本産のナチュラルチーズの蛍光指紋情報から「熟度」を推定した。
【００８２】
（１−１．測定対象物の準備）
本実施例１において、測定対象物として、日本産のナチュラルチーズについて１３種類の「熟度」のものについて、図６に示した方法で厚さ１．５ｍｍ程度の円盤状としたものを２組（キャリブレーションデータ用とバリデーションデータ用）準備した。
【００８３】
（１−２．蛍光指紋情報の取得）
続いて、準備した各測定対象物を計測セルに入れ、蛍光指紋取得装置１０（日立分光蛍光光度計Ｆ−７０００）にセットした。そして、蛍光指紋情報取得部２４−１の処理により各測定対象物の蛍光指紋情報を取得した。ここで、測定条件は、以下の通りである。
温度：２１〜２２℃
励起波長：２００〜７００ｎｍ、間隔５ｎｍ
（特に、励起波長２５０〜５００ｎｍの範囲に有用な情報が多く含まれる。）
蛍光波長：２００〜７００ｎｍ、間隔５ｎｍ
（特に、蛍光波長２５０〜７００ｎｍの範囲に有用な情報が多く含まれる。）
スキャンスピード：３００００ｎｍ／ｍｉｎ
励起側スリット：５ｎｍ
蛍光側スリット：５ｎｍ
ホトマル電圧：４６０Ｖ
レスポンス：自動
スペクトル補正：ＯＮ
計測サンプル数：各種類のチーズにつき、８サンプル
【００８４】
（１−３．蛍光指紋情報に対するデータ前処理）
取得した蛍光指紋情報に対して、データ前処理として散乱光除去及び２次元データ展開のみを行った（図７参照）。
【００８５】
（１−４．推定モデルの作成）
データ前処理を行った蛍光指紋情報に対して、ＰＬＳ回帰分析を適用して、検量線（推定モデル）を作成した。ＰＬＳ回帰分析には、１３種類の「熟度」のチーズをそれぞれ４サンプルずつ計測したものを適用した。図１３は、ＰＬＳ回帰分析による蛍光指紋と熟度についての解析結果を示しており、データ前処理として散乱光除去及び２次元データ展開のみを行った場合を示す図である。図１３において、横軸は、化学分析から得られた「熟度」の実測値［％］、縦軸は、蛍光指紋情報による「熟度」の推定値［％］を示している。キャリブレーションデータは検量線作成のためのデータである。キャリブレーションデータを直線回帰して検量線を作成している。バリデーションデータは精度確認のためのデータである。キャリブレーションデータ群における推定精度は決定係数Ｒ２＝０．８３であり、良好な推定精度であることが確認された。
【００８６】
したがって、本実施例１により、ＰＬＳ回帰分析によりナチュラルチーズの蛍光指紋から「熟度」を高精度に推定可能であることが示された。「熟度」が未知の日本産ナチュラルチーズについて、蛍光指紋を測定し、測定した蛍光指紋情報をこの検量線に適用して「熟度」を推定したところ、１分程度で推定が可能となり、従来に比べて大幅に計測時間を短縮することができた。
【００８７】
［実施例２］
図１４を参照して実施例２を説明する。本実施例２は、実施例１においてさらにデータ前処理として中心化を行った後、ＰＬＳ回帰分析を行った。
【００８８】
（２−１．測定対象物の準備）
実施例１と同様に、測定対象物を準備した。
（２−２．蛍光指紋情報の取得）
実施例１と同様に、蛍光指紋情報を取得した。
【００８９】
（２−３．蛍光指紋情報に対するデータ前処理）
取得した蛍光指紋情報に対して、データ前処理として、散乱光除去及び２次元データ展開を行った後（図７参照）、中心化（図８参照）を行った。
【００９０】
（２−４．推定モデルの作成）
データ前処理を行った蛍光指紋情報に対して、ＰＬＳ回帰分析を適用して、検量線（推定モデル）を作成した。ＰＬＳ回帰分析には、１３種類の「熟度」のチーズをそれぞれ４サンプルずつ計測したものを適用した。図１４は、ＰＬＳ回帰分析による蛍光指紋と熟度についての解析結果を示しており、データ前処理として散乱光除去及び２次元データ展開を行った後、「中心化」を行った例を示す図である。図１４において、キャリブレーション群における推定精度は決定係数Ｒ２＝０．８３であり、良好な推定精度であることが確認された。
【００９１】
［実施例３］
図１５を参照して実施例３を説明する。本実施例３は、実施例１においてさらにデータ前処理として規格化を行った後、ＰＬＳ回帰分析を行った。
【００９２】
（３−１．測定対象物の準備）
実施例１と同様に、測定対象物を準備した。
【００９３】
（３−２．蛍光指紋情報の取得）
実施例１と同様に、測定対象物を準備した。
【００９４】
（３−３．蛍光指紋情報に対するデータ前処理）
取得した蛍光指紋情報に対して、データ前処理として散乱光除去及び２次元データ展開を行った後（図７参照）、規格化（図９参照）を行った。
【００９５】
（３−４．推定モデルの作成）
データ前処理を行った蛍光指紋情報に対して、ＰＬＳ回帰分析を適用して、検量線（推定モデル）を作成した。ＰＬＳ回帰分析には、１３種類の「熟度」のチーズをそれぞれ４サンプルずつ計測したものを適用した。図１５は、ＰＬＳ回帰分析による蛍光指紋と熟度についての解析結果を示しており、データ前処理として散乱光除去及び２次元データ展開を行った後、「規格化」を行った場合を示す図である。図１５において、キャリブレーション群における推定精度は決定係数Ｒ２＝０．９０であり、データ前処理として「規格化」を行うことにより、推定精度を向上させることが確認された。
【００９６】
［実施例４］
図１６を参照して実施例４を説明する。本実施例４は、実施例１においてさらにデータ前処理として標準化を行った後、ＰＬＳ回帰分析を行った。
【００９７】
（４−１．測定対象物の準備）
実施例１と同様に、測定対象物を準備した。
【００９８】
（４−２．蛍光指紋情報の取得）
実施例１と同様に、蛍光指紋情報を取得した。
【００９９】
（４−３．蛍光指紋情報に対するデータ前処理）
取得した蛍光指紋情報に対して、データ前処理として散乱光除去及び２次元データ展開を行った後（図７参照）、標準化（図１０参照）を行った。
【０１００】
（４−４．推定モデルの作成）
データ前処理を行った蛍光指紋情報に対して、ＰＬＳ回帰分析を適用して、検量線（推定モデル）を作成した。ＰＬＳ回帰分析には、１３種類の「熟度」のチーズをそれぞれ４サンプルずつ計測したものを適用した。図１６は、ＰＬＳ回帰分析による蛍光指紋と熟度についての解析結果を示しており、データ前処理として散乱光除去及び２次元データ展開を行った後、「標準化」を行った場合を示す図である。図１５において、キャリブレーション群における推定精度は決定係数Ｒ２＝０．９０であり、データ前処理として「標準化」を行うことにより、推定精度を向上させることが確認された。
【０１０１】
［実施例５］
図１７を参照して実施例５を説明する。本実施例５において、測定対象物として日本産のナチュラルチーズを用いた。そして、蛍光指紋情報取得部２４−１の処理により日本産のナチュラルチーズの蛍光指紋情報を取得した。そして、推定モデル作成部２４−２の処理により、取得した蛍光指紋情報に対して主成分分析を行うことで、推定モデルを作成した。
【０１０２】
（５−１．測定対象物の準備）
本実施例５において、測定対象物として日本産のナチュラルチーズについて、図６に示した方法で厚さ１．５ｍｍ程度の円盤状としたものを準備した。
【０１０３】
（５−２．蛍光指紋情報の取得）
実施例１と同様に、蛍光指紋情報を取得した。
【０１０４】
（５−３．データ前処理）
実施例４と同様に、取得した蛍光指紋情報に対して、データ前処理として散乱光除去及び２次元データ展開を行った後（図７参照）、標準化（図１０参照）を行った。
【０１０５】
（５−４．推定モデルの作成）
図１７は、データ前処理した蛍光指紋情報に対して主成分分析を行った例を示す図である。図１７に示すように、まず、多変量のデータを少数の主成分に要約する主成分分析を行い、蛍光指紋情報から求めた第１主成分と蛍光指紋情報から求めた第２主成分を軸とする平面上に各測定対象物を位置づけた主成分得点プロットを作成する。
【０１０６】
図１７に示す主成分得点プロットにおいて、各測定対象物の相違が視覚的に表現される。具体的には、図１７に示す蛍光指紋測定した測定対象物の主成分得点プロットにおいて、熟度が「１０．１８（図１７において、黒丸印のプロット）」、「１６．１（図１７において、丸印のプロット）」、「１６．１５（図１７において、四角印のプロット）」、「２０．６２（図１７において、△印のプロット）」、「２４．６８（図１７において、×印のプロット）」のナチュラルチーズが分布している。熟度が「１０．１８」、「１６．１」、「１６．１５」、「２０．６２」、「２４．６８」の分布の重心を通る近似直線を引き、この近似直線を「熟度軸」として設定してもよい。熟度軸に示すように、ナチュラルチーズの熟成が進むと、左上から右下に分布が移動する。この主成分分析の結果を利用して推定モデルを作成する。
【０１０７】
［実施例６］
本実施例６は、実施例４でＰＬＳ回帰分析したものをＰＬＳ判別分析した。ＰＬＳ判別分析では、熟度が「２４」以上と、「２４」未満の２つのグループに分類した推定モデルを作成した。熟度が「２４」以上の場合を「完熟」、熟度が「２４」未満の場合を「未熟」としてもよい。図１８は、ＰＬＳ判別分析により得られた推定モデルによるキャリブレーションデータの判別結果の集計を示す図である。図１９は、ＰＬＳ判別分析により得られた推定モデルによるバリデーションデータの判別結果の集計を示す図である。
【０１０８】
図１８及び図１９に示すように、ＰＬＳ判別分析により得られた推定モデルによる判別結果の集計では、キャリブレーションデータの場合は、誤判定率＝６％、バリデーションデータの場合は、誤判定率８％で共に高い精度で推定することができた。「熟度」が未知の日本産ナチュラルチーズについて、蛍光指紋を測定し、測定した蛍光指紋情報をこの推定モデルに適用して、「熟度（完熟又は未熟）」を推定したところ、１分程度で推定が可能となり、従来に比べて大幅に計測時間を短縮することができた。
【０１０９】
［実施例７］
図２０を参照して実施例７を説明する。本実施例７において、測定対象物として日本産のナチュラルチーズを用いた。そして、蛍光指紋情報取得部２４−１の処理により日本産のナチュラルチーズの蛍光指紋情報を取得した。そして、推定モデル作成部２４−２の処理により、日本産のナチュラルチーズの蛍光指紋情報に対してＰＬＳ回帰分析を行うことで、「熟成期間」を推定するための検量線を作成した。さらに、熟成度指標推定部２４−３により、作成した検量線を使用して、日本産のナチュラルチーズの蛍光指紋情報から「熟成期間」を推定した。
【０１１０】
（７−１．測定対象物の準備）
本実施例７において、測定対象物として、日本産のナチュラルチーズについて１１種類の「熟成期間」のものを、図６に示した方法で厚さ１．５ｍｍ程度の円盤状としたものを４サンプルずつ（キャリブレーションデータ用とバリデーションデータ用）準備した。
【０１１１】
（７−２．蛍光指紋情報の取得）
実施例１と同様に、蛍光指紋情報を取得した。
【０１１２】
（７−３．蛍光指紋情報に対するデータ前処理）
実施例４と同様に、取得した蛍光指紋情報に対して、データ前処理として散乱光除去及び２次元データ展開を行った後（図７参照）、標準化を行った（図１０参照）。
【０１１３】
（７−４．推定モデルの作成）
データ前処理を行った蛍光指紋情報に対してＰＬＳ回帰分析を適用して、検量線（推定モデル）を作成した。ＰＬＳ回帰分析には、１１種類の「熟成期間」のチーズをそれぞれ４サンプルずつ計測したものを適用した。図２０は、ＰＬＳ回帰分析による蛍光指紋と熟成期間についての解析結果を示す図である。図２０において、横軸は、実際の「熟成期間」［日］、縦軸は、蛍光指紋による「熟成期間」の推定値［日］を示している。
【０１１４】
キャリブレーションデータ群における推定精度は決定係数Ｒ２＝０．９６であり、極めて良好な推定精度であることが確認された。したがって、本実施例７により、ＰＬＳ回帰分析によりナチュラルチーズの蛍光指紋から「熟成期間」を高精度に推定可能であることが示された。「熟成期間」が未知の日本産ナチュラルチーズについて、蛍光指紋を測定し、測定した蛍光指紋をこの検量線に適用して「熟成期間」を推定したところ、１分程度で推定が可能となり、従来に比べて大幅に計測時間を短縮することができた。
【０１１５】
［実施例８］
図２１を参照して実施例８を説明する。本実施例８において、測定対象物として日本産のナチュラルチーズを用いた。そして、蛍光指紋情報取得部２４−１の処理により日本産のナチュラルチーズの蛍光指紋情報を取得した。そして、推定モデル作成部２４−２の処理により、日本産のナチュラルチーズの蛍光指紋情報に対してＰＬＳ回帰分析を行うことで、「遊離アミノ酸（トリプトファン）量」を推定するための検量線を作成した。さらに、熟成度指標推定部２４−３により、作成した検量線を使用して、日本産のナチュラルチーズの蛍光指紋情報から「遊離アミノ酸量」を推定した。
【０１１６】
（８−１．測定対象物の準備）
本実施例８において、測定対象物として、日本産のナチュラルチーズについて１０種類の「遊離アミノ酸量」のものを、図６に示した方法で厚さ１．５ｍｍ程度の円盤状としたものを２組（キャリブレーションデータ用とバリデーションデータ用）準備した。
【０１１７】
（８−２．蛍光指紋情報の取得）
実施例１と同様に、蛍光指紋情報を取得した。
【０１１８】
（８−３．蛍光指紋情報に対するデータ前処理）
実施例４と同様に、取得した蛍光指紋情報に対して、データ前処理として散乱光除去及び２次元データ展開を行った後（図７参照）、標準化を行った（図１０参照）。
【０１１９】
（８−４．推定モデルの作成）
データ前処理を行った蛍光指紋情報に対してＰＬＳ回帰分析を適用して、検量線（推定モデル）を作成した。ＰＬＳ回帰分析には、１０種類の「遊離アミノ酸量」のサンプルをそれぞれ１回計測したものを適用した。図２１は、ＰＬＳ回帰分析による蛍光指紋と遊離アミノ酸（トリプトファン）量についての解析結果を示す図である。図２１において、横軸は、化学分析から得られた「遊離アミノ酸（トリプトファン）量」の実測値［ｍｇ／１００ｇ］、縦軸は、蛍光指紋による「遊離アミノ酸（トリプトファン）量」の推定値［ｍｇ／１００ｇ］を示している。
【０１２０】
キャリブレーションデータ群における推定精度は決定係数Ｒ２＝０．９７であり、極めて良好な推定精度であることが確認された。したがって、本実施例８により、ＰＬＳ回帰分析によりナチュラルチーズの蛍光指紋から「遊離アミノ酸量」を高精度に推定可能であることが示された。「遊離アミノ酸量」が未知の日本産ナチュラルチーズについて、蛍光指紋を測定し、測定した蛍光指紋をこの検量線に適用して「遊離アミノ酸量」を推定したところ、１分程度で推定が可能となり、従来に比べて大幅に計測時間を短縮することができた。
【０１２１】
［実施例９］
図２２を参照して実施例９を説明する。本実施例９において、測定対象物として日本産のナチュラルチーズを用いた。そして、蛍光指紋情報取得部２４−１の処理により日本産のナチュラルチーズの蛍光指紋情報を取得した。そして、推定モデル作成部２４−２の処理により、日本産のナチュラルチーズの蛍光指紋情報に対してＰＬＳ回帰分析を行うことで、「遊離脂肪酸（総量）」を推定するための検量線（推定モデル）を作成した。さらに、熟成度指標推定部２４−３により、作成した検量線を使用して、日本産のナチュラルチーズの蛍光指紋情報から「遊離脂肪酸（総量）」を推定した。
【０１２２】
（９−１．測定対象物の準備）
本実施例９において、測定対象物として、日本産のナチュラルチーズについて１３種類の「遊離脂肪酸（総量）」のものを、図６に示した方法で厚さ１．５ｍｍ程度の円盤状としたものを２組（キャリブレーションデータ用とバリデーションデータ用）準備した。
【０１２３】
（９−２．蛍光指紋情報の取得）
実施例１と同様に、蛍光指紋情報を取得した。
【０１２４】
（９−３．蛍光指紋情報に対するデータ前処理）
実施例４と同様に、取得した蛍光指紋情報に対して、データ前処理として散乱光除去及び２次元データ展開を行った後（図７参照）、標準化を行った（図１０参照）。
【０１２５】
（９−４．推定モデルの作成）
データ前処理を行った蛍光指紋情報に対してＰＬＳ回帰分析を適用して、検量線（推定モデル）を作成した。ＰＬＳ回帰分析には、１３種類の「遊離脂肪酸（総量）」のチーズをそれぞれ４サンプルずつ計測したものを適用した。図２２は、ＰＬＳ回帰分析による蛍光指紋と遊離脂肪酸（総量）についての解析結果を示す図である。図２２において、横軸は、化学分析から得られた「総遊離脂肪酸量」の実測値［ｍｇ／ｋｇ］、縦軸は、蛍光指紋による「総遊離脂肪酸」の推定値［ｍｇ／ｋｇ］を示している。
【０１２６】
キャリブレーションデータ群における推定精度は決定係数Ｒ２＝０．９７であり、極めて良好な推定精度であることが確認された。したがって、本実施例９により、ＰＬＳ回帰分析により、ナチュラルチーズの蛍光指紋から「遊離脂肪酸（総量）」を高精度に推定可能であることが示された。「遊離脂肪酸（総量）」が未知の日本産ナチュラルチーズについて蛍光指紋を測定し、測定した蛍光指紋をこの検量線に適用して「遊離脂肪酸（総量）」を推定したところ、１分程度で推定が可能となり、従来に比べて大幅に計測時間を短縮することができた。
【０１２７】
［ナチュラルチーズの製造方法］
本発明のチーズの熟成度指標推定方法及びチーズの熟成度指標推定装置を使用してナチュラルチーズを製造することにしてもよい。すなわち、本発明のチーズの熟成度指標推定方法及びチーズの熟成度指標推定装置により推定される熟成度指標を使用して、ナチュラルチーズの出荷時期を決定してもよい。
【０１２８】
［プロセスチーズの製造方法］
本発明のチーズの熟成度指標推定方法及びチーズの熟成度指標推定装置を使用してプロセスチーズを製造することにしてもよい。すなわち、原料となるナチュラルチーズの熟成度指標を本発明のチーズの熟成度指標推定方法及びチーズの熟成度指標推定装置により推定し、推定した熟成度指標に基づいて、原料となるナチュラルチーズの配合及び／又はプロセスチーズの製造条件を決定してもよい。
【０１２９】
［実施例１０］
本実施例１０において、本発明の熟成度指標推定方法（実施例１）を使用したプロセスチーズの製造方法を説明する。
【０１３０】
（１０−１．原料に使用するナチュラルチーズの熟成度指標の推定）
実施例１に基づいて作成した検量線を使用して、製造日が異なる日本産ナチュラルチーズＡ、Ｂ、Ｃの蛍光指紋情報から「熟度」を推定した。その結果、各ナチュラルチーズの熟度は、それぞれチーズＡが６．０％、チーズＢが１４．０％、チーズＣが２５．０％であった。
【０１３１】
（１０−２．プロセスチーズの製造）
熟度を推定したチーズＡ〜Ｃ、及びその他の原料について、チーズＡを１６％、チーズＢを５６％、チーズＣを８％、添加水を１７％、および溶融塩であるクエン酸三ナトリウムを３％の割合で配合し、撹拌しながら加熱乳化した。品温が８５℃になった時点でさらに８５℃で１分間保持し、直ちにカルトンに充填して、５℃で一晩冷却してプロセスチーズＰを製造した。この方法で製造したプロセスチーズＰの物性及び風味は、従来法である全窒素に対する水溶性窒素の割合を「熟度」として計測する方法により測定した熟度に基づいて製造したプロセスチーズと同等であることが確認された。
【０１３２】
［実施例１１］
本実施例１１において、本発明の熟成度指標推定方法（実施例１及び実施例２）を使用したプロセスチーズの製造方法を説明する。
【０１３３】
（１１−１．原料に使用するナチュラルチーズの熟成度指標の推定）
実施例１、実施例２に基づいて作成した検量線を使用して、製造日が異なる日本産ナチュラルチーズＤ及びＥの蛍光指紋情報から「熟度」を推定した。
その結果、各ナチュラルチーズの熟度は、それぞれチーズＤが７．５％、チーズＥが１８．０％であった。
【０１３４】
（１１−２．プロセスチーズの製造）
熟度を推定したチーズＤ、チーズＥ、及びその他の原料について、チーズＤを２４％、チーズＥを５６％、添加水を１７％、および溶融塩であるクエン酸三ナトリウムを３％の割合で配合し、撹拌しながら加熱乳化した。品温が８５℃になった時点でさらに８５℃で１分間保持し、直ちにカルトンに充填して、５℃で一晩冷却してプロセスチーズＱを製造した。
【０１３５】
この方法で製造したプロセスチーズＱの物性及び風味は、従来法である全窒素に対する水溶性窒素の割合を「熟度」として計測する方法により測定した熟度に基づいて製造したプロセスチーズと同等であることが確認された。
【０１３６】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１３７】
また、実施の形態において説明した各処理のうち、自動的に行われるものとして説明した処理の全部又は一部を手動的に行うこともでき、或いは、手動的に行われるものとして説明した処理の全部又は一部を公知の方法で自動的に行うこともできる。
【０１３８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１３９】
また、チーズの熟成度指標推定装置２０に関して、図示の各構成要素は機能概念的なものであり、必ずしも物理的に図示の如く構成されていることを要しない。
【０１４０】
例えば、チーズの熟成度指標推定装置２０の各装置が備える処理機能、特に計算処理部２４にて行われる各処理機能については、その全部又は任意の一部を、ＣＰＵ（Ｃｅｎｔｒａｌ  Ｐｒｏｃｅｓｓｉｎｇ  Ｕｎｉｔ）及び当該ＣＰＵにて解釈実行されるプログラムにて実現してもよく、また、ワイヤードロジックによるハードウェアとして実現してもよい。尚、プログラムは、後述する記録媒体に記録されており、必要に応じてチーズの熟成度指標推定装置２０に機械的に読み取られる。すなわち、ＲＯＭ又はＨＤなどのメモリ２１などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４１】
また、このコンピュータプログラムは、チーズの熟成度指標推定装置２０に対して任意のネットワークを介して接続されたアプリケーションプログラムサーバに記憶されていてもよく、必要に応じてその全部又は一部をダウンロードすることも可能である。
【０１４２】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、及び、Ｂｌｕ−ｒａｙ（登録商標）  Ｄｉｓｃ等の任意の「可搬用の物理媒体」を含むものとする。
【０１４３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４４】
メモリ２１に格納される各種のデータベース等は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０１４５】
また、チーズの熟成度指標推定装置２０は、既知のパーソナルコンピュータ、ワークステーション等の情報処理装置として構成してもよく、また、該情報処理装置に任意の周辺装置を接続して構成してもよい。また、チーズの熟成度指標推定装置２０は、該情報処理装置に本発明の方法を実現させるソフトウェア（プログラム、データ等を含む）を実装することにより実現してもよい。
【０１４６】
更に、装置の分散・統合の具体的形態は図示するものに限られず、その全部又は一部を、各種の付加等に応じて、又は、機能負荷に応じて、任意の単位で機能的又は物理的に分散・統合して構成することができる。すなわち、上述した実施形態を任意に組み合わせて実施してもよく、実施形態を選択的に実施してもよい。
【０１４７】
以上説明したように、本実施の形態によれば、所定の励起波長範囲及び所定の蛍光波長範囲で、照射する励起波長及び観測する蛍光波長を段階的に変化させながら、測定対象のチーズの蛍光強度を測定して、前記測定対象のチーズの蛍光指紋情報を取得し、取得した蛍光指紋情報に基づいて測定対象のチーズの熟成度指標を推定しているので、チーズの熟成度指標を客観的かつ迅速に推定することが可能となる。付言すると、本実施の形態では、非破壊、非接触での計測にも関わらず、熟成度指標を正確に推定することができるので、チーズの製造現場における出荷時期の判定や検査などの様々な分野において広く使用することができる、非常に汎用性の高い手法である。
【０１４８】
また、本実施の形態によれば、チーズの熟成度指標を推定するための推定モデルに取得した蛍光指紋情報を適用して測定対象のチーズの熟成度指標を推定しているので、蛍光指紋を測定するだけで、簡単かつ迅速に熟成度指標を推定することが可能となる。
【０１４９】
また、本実施の形態によれば、取得した蛍光指紋情報に対して多変量解析を行うことで推定モデルを作成しているので、高精度な推定モデルを作成することが可能となる。
【０１５０】
また、本実施の形態によれば、多変量解析としてＰＬＳ回帰分析を行って、推定モデルとして検量線を作成し、取得した蛍光指紋情報を検量線に適用して測定対象のチーズの熟成度指標を推定することとしたので、熟成度指標の具体的な数値を高精度に推定することが可能となる。
【０１５１】
また、本発明によれば、蛍光指紋情報に対して、データ前処理として、中心化、標準化、規格化、微分、ベースライン補正、及び平滑化のうちの１又は複数の処理を行うこととしたので、熟成度指標の推定精度を向上させることが可能となる。
【０１５２】
また、本発明によれば、熟成度指標は、熟度、遊離アミノ酸量、遊離脂肪酸量、及び熟成期間のうちの１又は複数であることとしたので、熟成度指標として、熟度、遊離アミノ酸量、遊離脂肪酸量、及び熟成期間を推定することが可能となる。例えば、熟度、遊離アミノ酸量、遊離脂肪酸量、及び熟成期間を推定させるための推定モデルをそれぞれ用意しておくことで、１回の蛍光指紋の測定で、熟度、遊離アミノ酸量、遊離脂肪酸量、及び熟成期間を同時に推定することが可能となる。
【符号の説明】
【０１５３】
１０  蛍光指紋取得装置
１１  分光照明装置
１１０  光源
１１２  分光装置
１２  分光検出装置
１２２  分光装置
１２４  指紋検出装置
１３  測定対象物
２０  チーズの熟成度指標推定装置
２１  メモリ
２２  キーボード・マウス
２３  制御部
２４  計算処理部
２４−１  蛍光指紋情報取得部
２４−２  推定モデル作成部
２４−３  熟成度指標推定部
２６  Ｉ／Ｏポート
２７  推定モデル
３０  ディスプレイ
【図２】
2016045179.tif 000003
【図３】
2016045179.tif 000004
【図４】
2016045179.tif 000005
【図５】
2016045179.tif 000006
【図６】
2016045179.tif 000007
【図８】
2016045179.tif 000008
【図９】
2016045179.tif 000009
【図１０】
2016045179.tif 000010
【図１１】
2016045179.tif 000011
【図１２】
2016045179.tif 000012
【図１３】
2016045179.tif 000013
【図１４】
2016045179.tif 000014
【図１５】
2016045179.tif 000015
【図１６】
2016045179.tif 000016
【図１７】
2016045179.tif 000017
【図１８】
2016045179.tif 000018
【図１９】
2016045179.tif 000019
【図２０】
2016045179.tif 000020
【図２１】
2016045179.tif 000021
【図２２】
2016045179.tif 000022
【図１】
2016045179.tif 000023
【図７】
2016045179.tif 000024